(57)【要約】リッパーシャンクとリッパーシャンクの前端部に取り付けられたリッパーチップとを含むリッパーシャンク組立体。リッパーチップは、上面を含み、上面は上面から上方へ延びる第１隆起部を有する。リッパーシャンク組立体はさらに、リッパーチップの後方でリッパーシャンクの前縁部に取り付けられたリッパーシャンク保護装置を含み、リッパーシャンク保護装置はリッパーシャンク保護装置の中央面に第２隆起部を含み、リッパーシャンク保護装置の前端部に隣接する第２隆起部の一部は、第１隆起部の高さを越える高さを有する。
2014529026.tif 000002
【特許請求の範囲】
【請求項１】
リッパーシャンク組立体であって、
リッパーシャンクと、
リッパーシャンクの前端部に取り付けられたリッパーチップであって、上面を含み、上面は上面から上方へ延びる第１隆起部を有する、リッパーチップと、
リッパーチップの後方でリッパーシャンクの前縁部に取り付けられたリッパーシャンク保護装置であって、リッパーシャンク保護装置の中央面に第２隆起部を含み、リッパーシャンク保護装置の前端部に隣接する第２隆起部の一部は、第１隆起部の高さを越える高さを有する、リッパーシャンク保護装置と
を含む、リッパーシャンク組立体。
【請求項２】
第１隆起部が、後方へ延びるにつれて上方へ傾斜する、請求項１に記載のリッパーシャンク組立体。
【請求項３】
第２隆起部の前方部分が、後方へ延びるにつれて上方へ傾斜する、請求項２に記載のリッパーシャンク組立体。
【請求項４】
第２隆起部の前方部分が、後方へ延びるにつれて上方へ傾斜する、請求項１に記載のリッパーシャンク組立体。
【請求項５】
第１隆起部の側面が、第１隆起部の上部から外方へ延びるにつれて、互いに離れるように傾斜する、請求項１に記載のリッパーシャンク組立体。
【請求項６】
第２隆起部の側面が、第２隆起部の上部から外方へ延びるにつれて、互いに離れるように傾斜する、請求項５に記載のリッパーシャンク組立体。
【請求項７】
第２隆起部の側面が、第２隆起部の上部から外方へ延びるにつれて、互いに離れるように傾斜する、請求項１に記載のリッパーシャンク組立体。
【請求項８】
前記第２隆起部の後端部は、高さが徐々に減少する、請求項１に記載のリッパーシャンク組立体。
【請求項９】
リッパーシャンク組立体であって、
リッパーシャンクと、
リッパーシャンクの前端部に取り付けられたリッパーチップであって、後方へ延びるにつれて上方へ傾斜する第１隆起部を有する上面を含む、リッパーチップと、
リッパーチップの後方でリッパーシャンクの前縁部に取り付けられたリッパーシャンク保護装置であって、リッパーシャンク保護装置の中央面に第２隆起部を含み、第２隆起部の前方部分が、リッパーシャンク保護装置の前端部から後方へ延びるにつれて上方へ傾斜する、リッパーシャンク保護装置と
を含む、リッパーシャンク組立体。
【請求項１０】
第１隆起部の側面が、第１隆起部の上部から外方へ延びるにつれて、互いに離れるように傾斜する、請求項９に記載のリッパーシャンク組立体。
【請求項１１】
第２隆起部の側面が、第２隆起部の上部から外方へ延びるにつれて、互いに離れるように傾斜する、請求項１０に記載のリッパーシャンク組立体。
【請求項１２】
第２隆起部の側面が、第２隆起部の上部から外方へ延びるにつれて、互いに離れるように傾斜する、請求項９に記載のリッパーシャンク組立体。
【請求項１３】
後方へ延びるにつれて上方へ傾斜する第２隆起部の前方部分に続いて、第２隆起部は、後方へ延びるにつれて高さが減少する部分を含む、請求項９に記載のリッパーシャンク組立体。
【請求項１４】
リッパーシャンク保護装置の前部に隣接して、第２隆起部の上部が凸状プロファイルを有する、請求項９に記載のリッパーシャンク組立体。
【請求項１５】
凸状プロファイルを有する第２隆起部の上部の一部に続いて、第２隆起部の上部が、リッパーシャンク保護装置の前部から外方へ延びるにつれて直線部分まで湾曲する凹状プロファイルを有する部分を含む、請求項１４に記載のリッパーシャンク組立体。
【請求項１６】
リッパーシャンク組立体であって、
リッパーシャンクと、
リッパーシャンクの前端部に取り付けられたリッパーチップであって、リッパーチップの側面に第１膨張部を含む、リッパーチップと、
第１膨張部内の第１のロックキャビティと、
第１のロックキャビティ内の第１の回転式ロック部分であって、リッパーチップをリッパーシャンクに固定する、第１の回転式ロック部分と、
リッパーチップの後方でリッパーシャンクの前縁部に取り付けられたリッパーシャンク保護装置であって、
リッパーシャンク保護装置の側面の第２膨張部と、第２膨張部内の第２のロックキャビティと、
第２のロックキャビティ内の第２の回転式ロック部分であって、リッパーシャンク保護装置をリッパーシャンクに固定する、第２の回転式ロック部分と
を含む、リッパーシャンク保護装置と
を含む、リッパーシャンク組立体。
【請求項１７】
第１のロック部分と第２のロック部分が、第１のロックキャビティおよび第２のロックキャビティ内で交換可能に使用できるように、実質的に同じ構成を有する、請求項１６に記載のリッパーシャンク組立体。
【請求項１８】
第１膨張部が、リッパーシャンク組立体の前端部に向かって第１のロックキャビティから外方へ延びるにつれて内側に向かって先細になる、請求項１６に記載のリッパーシャンク組立体。
【請求項１９】
第２膨張部が、リッパーシャンク組立体の前端部に向かって少なくとも部分的に延びる方向に延ばされる、請求項１８に記載のリッパーシャンク組立体。
【請求項２０】
第２膨張部が、リッパーシャンク組立体の前端部の方に延びるにつれて内側に向かって先細になる、請求項１９に記載のリッパーシャンク組立体。
【発明の詳細な説明】
【技術分野】
【０００１】
関連出願
本出願は、それらの内容が参照することにより本明細書に明示的に組み込まれる、２０１１年９月３０日に出願された米国仮特許出願第６１／５４２，０７８号明細書、および２０１２年９月２７日に出願された米国特許出願第１３／６２９，２１０号明細書に基づき、かつそれらからの優先権の利益を主張する。
【０００２】
本開示は地面係合工具に関し、より具体的には、リッパーシャンク組立体に関する。
【背景技術】
【０００３】
地面係合機械、特に履帯式トラクターとして知られている種類の地面係合機械の操作において、硬い物質の除去を補助するために、硬い物質に貫入させてそれを破砕する装置を機械に配置することは一般的な実践である。この装置は一般的にリッパーシャンク組立体と呼ばれる。典型的なリッパーシャンク組立体は、リッパーシャンクと呼ばれる１つまたは複数の主ビーム部材を含み、それは、地形に係合かつ貫入させるべく動力により上昇および下降されるフレーム構造内に取り付けられる。リッパーはその後、機械が前方方向に駆動されるとき、地形内を移動される。
【０００４】
そのようなリッパー組立体は通常、地面形成部の中に下ろされるリッパーシャンクの端部において、交換可能なチップとシャンク保護装置とを利用する。地面と接触するリッパーチップおよびシャンク保護装置は、追切り作業の間、激しい摩擦にさらされる。こうした理由から、シャンク全体を頻繁に交換する必要がないように、交換可能なリッパーチップおよびシャンク保護装置が提供される。
【０００５】
そのようなリッパーシャンク組立体の１つは、Ｒｈｏａｄｓに付与された（特許文献１）（「’６１４号特許」）に開示されている。（特許文献１）のリッパーシャンク組立体は、リッパーシャンクの下側端部を受け入れるための差込部が設けられたリッパーチップを含む。シャンクガード／保護装置は、リッパーチップの上面の隆起部分に形成された凹部またはスロットと係合するように適合されたフックを含むラッチ装置を含む。シャンクガード／保護装置はさらに、リッパーシャンクに完全に受け入れられるまで、凹部に隣接する肩部の周りを回動するように適合されている。その後シャンクガード／保護装置は、ピンまたはねじによってロック位置に保持される。
【先行技術文献】
【特許文献】
【０００６】
【特許文献１】米国特許第３，９９９，６１４号明細書
【発明の概要】
【課題を解決するための手段】
【０００７】
開示される一実施形態は、リッパーシャンクとリッパーシャンクの前端部に取り付けられたリッパーチップとを含むリッパーシャンク組立体に関する。リッパーチップは、上面を含み、上面は上面から上方へ延びる第１隆起部を有する。リッパーシャンク組立体はさらに、リッパーチップの後方でリッパーシャンクの前縁部に取り付けられたリッパーシャンク保護装置を含み、リッパーシャンク保護装置はリッパーシャンク保護装置の中央面に第２隆起部を含み、リッパーシャンク保護装置の前端部に隣接する第２隆起部の一部は、第１隆起部の高さを越える高さを有する。
【０００８】
本開示はさらに、リッパーシャンクとリッパーシャンクの前端部に取り付けられたリッパーチップとを含むリッパーシャンク組立体に関する。リッパーチップは、後方へ延びるにつれて上方へ傾斜する第１隆起部を有する上面を含む。リッパー組立体はさらに、リッパーチップの後方でリッパーシャンクの前縁部に取り付けられたリッパーシャンク保護装置を含む。リッパーシャンク保護装置はリッパーシャンク保護装置の中央面に第２隆起部を含み、第２隆起部の前方部分は、リッパーシャンク保護装置の前端部から後方へ延びるにつれて上方へ傾斜する。
【０００９】
なおさらに本開示は、リッパーシャンクとリッパーシャンクの前端部に取り付けられたリッパーチップとを含むリッパーシャンク組立体に関する。リッパーチップは、リッパーチップの側面の第１膨張部と、第１膨張部内の第１のロックキャビティと、第１のロックキャビティ内の第１の回転式ロック部分とを含み、第１のロック部分によりリッパーチップはリッパーシャンクに固定される。リッパー組立体はさらに、リッパーチップの後方でリッパーシャンクの前縁部に取り付けられたリッパーシャンク保護装置を含む。リッパーシャンク保護装置は、リッパーシャンク保護装置の側部の第２膨張部と、第２膨張部内の第２のロックキャビティと、第２のロックキャビティ内の第２の回転式ロック部分とを含み、第２のロック部分によりリッパーシャンク保護装置はリッパーシャンクに固定される。
【図面の簡単な説明】
【００１０】
【図１】本開示によるリッパーシャンク組立体の側面図である。
【図２】図１のリッパーシャンク組立体のリッパーチップの前面斜視図である。
【図３】図２のリッパーチップの後面斜視図である。
【図４】図２のリッパーチップの後端面図である。
【図５】図１のリッパーシャンク組立体の部分上面図である。
【図６】図１の組立体のリッパーシャンク保護装置の上面斜視図である。
【図７】図６のシャンク保護装置の底面斜視図である。
【図８】図６のシャンク保護装置の底面斜視図である。
【図９】図６のシャンク保護装置の上面図である。
【図１０】図６のシャンク保護装置の前端面図である。
【図１１】図６のシャンク保護装置の後端面図である。
【図１２】図１のリッパーシャンク組立体のリッパーシャンクの斜視図である。
【図１３】取り付け中のリッパーシャンクおよびシャンク保護装置の側面図である。
【図１４】図１４Ａは、図１のリッパーシャンク組立体の回転式ロック組立体のスリーブの斜視図であり、図１４Ｂは、回転式ロック組立体のロック部分の斜視図であり、図１４Ｃは、図１４Ｂのロック部分の背面図である。
【発明を実施するための形態】
【００１１】
図１〜１４Ｃは、本開示によるリッパーシャンク組立体１０とその構成要素の一実施形態を示す。リッパーシャンク組立体１０は広範な種類の機械で使用することができる。例えば、リッパーシャンク組立体１０は、トラクター、グレーダー、または他のあらゆる種類の移動機械の後部に取り付けることができる。リッパーシャンク組立体１０は、移動機械に装着される基端１２を有し得る。基端１２からリッパーシャンク組立体は、リッパーシャンク組立体１０の前端部１４まで、下方および前方へ延在し得る。そのような移動機械に取り付けられるとき、リッパーシャンク組立体１０は、その前端部１４を下ろして土の中へ入れ、かつそれを土を通して前方へ駆動することによって、土を耕すために使用することができる。
【００１２】
図１に最もよく示されるように、リッパーシャンク組立体１０は、リッパーシャンク１６、リッパーチップ１８およびリッパーシャンク保護装置２０を含み得る。リッパーシャンク１６は、リッパーシャンク組立体１０の主構造部材または「背骨」としての役割を果たし得る。リッパーチップ１８およびリッパーシャンク保護装置２０は、リッパーシャンク１６の前方部分を、土との直接接触から防護する働きをし得る。
【００１３】
図１２は、リッパーチップ１８およびリッパーシャンク保護装置２０から分離したリッパーシャンク１６を示す。概ねリッパーシャンク組立体１０のように、リッパーシャンク１６は、基端１２から前端部２２まで、下方および前方へ延在し得る。リッパーシャンク１６は、下方へ延びる真直ぐな上側部分２４と、真直ぐな部分に向かって湾曲する中間部分２６と、主として真直ぐおよび前方に延びる前方部分２８とを含み得る。前方部分２８は、前端部２２に延びるにつれて、高さが減少し得る。リッパーシャンク１６の前縁部３０は、上側部分２４、中間部分２６および前方部分２８に沿って前端部２２まで延在し得る。リッパーシャンク１６は、鋼および鋳鉄を含むがそれらに限定されない様々な材料から構成することができる。
【００１４】
リッパーシャンク１６は、リッパーチップ１８およびリッパーシャンク保護装置２０のリッパーシャンク１６への固定を促す様々な特徴を有し得る。例えば、図に示される構成では、リッパーシャンク１６は、リッパーチップ１８およびリッパーシャンク保護装置２０を装着するために、取付用突起３８、４０、４２を受け入れるための穴３２、３４、３６を含む。穴３２、３４、および３６は、それぞれリッパーシャンク１６の上側部分２４、中間部分２６および前方部分２８に含めることができる。突起３８、４０、４２は様々な構成を有し得る。いくつかの実施形態では、突起３８、４０、４２は、リッパーシャンク１６の両側から延出しかつ（その長さにわたり直径が変わり得る）実質的に円形の断面を有するピンであり得る。
【００１５】
リッパーチップ１８はリッパーシャンク１６の前端部２２に取付け可能である。図２〜４はリッパーシャンク１６およびリッパーシャンク保護装置２０から分離したリッパーチップ１８を示している。リッパーチップ１８は前端部４４および後端部４６を含み得る。前端部４４および後端部４６の間に延びるとき、リッパーチップ１８は上面４８、側面５０、５２および下面５４を含み得る。リッパーチップ１８の前端部４４は点を形成し得る。従って、後端部４６から前端部４４の方へ延びるとき、上面４８、側面５０、５２および／または下面５４は、垂直方向および／または水平方向において先細になり得る。リッパーチップ１８は、鋼および鋳鉄を含むがそれらに限定されない様々な材料から構成することができる。
【００１６】
図３および４に最もよく示されているように、リッパーチップ１８は、後端部４６から内側へ延びる取付け用キャビティ５６を含み得る。取付け用キャビティ５６は、リッパーシャンク１６の前方部分２８を受け入れ、それと嵌合するように構成された形状を有し得る。従って、リッパーチップ１８は、リッパーシャンク１６の前方部分２８をリッパーチップ１８の取付け用キャビティ５６の中に置き、リッパーチップ１８を適所で締結することによって、リッパーシャンク１６に取り付けることができる。図１は、リッパーシャンク１６の前方部分２８の上に組み付けられたリッパーチップ１８を示している。
【００１７】
リッパーチップ１８およびリッパーシャンク組立体１０は、リッパーチップ１８をリッパーシャンク１６に締結するための様々な対策を含み得る。いくつかの実施形態では、リッパーシャンク組立体１０は、リッパーチップ１８を、リッパーシャンク１６の前方部分２８の穴３６から延びる突起４２に固定するための対策を含み得る。例えば、図３に最もよく示されているように、リッパーチップ１８は、取付け用キャビティ５６に隣接して配置されたロックキャビティ５８およびスロット６０を含み得る。ロックキャビティ５８は、リッパーチップ１８を突起４２に選択的にロックするように動作可能な回転式ロック組立体６２（図１４Ａ〜１４Ｃに詳細に示されている）を受け入れるように構成することができる。スロット６０によって経路が提供され得る。この経路によって突起４２は、リッパーチップ１８がリッパーシャンク１６の前方部分２８の適所に摺動されるとき、ロックキャビティ５８およびロック６２の中に摺動し得る。ロックキャビティ５８は、リッパーチップ１８がリッパーシャンク１６の前方部分２８に適切に位置付けられるとき、突起４２と実質的に整列するように位置付けることができる。ロック開口部６３が側面５０からロックキャビティ５８内に延び、ロック６２をロック位置とロック解除位置の間で操作するためのアクセスを提供し得る。
【００１８】
ロックキャビティ５８を収容するために、側面５０は膨張部６４を含み得る。図２に示されるように、膨張部６４はそれ自体が側面６６、上面６８および下面７０を含み得る。側面６６の少なくとも一部は、前方へ延びるにつれ、内側へ傾斜し得る。上面６８および下面７０は、前方へ延びるにつれて互いに向かって傾斜し、膨張部６４の前端部で集束し得る。さらに、上面６８および下面７０は、側面６６から外方へ横に延びるにつれて互いに離れるように傾斜し得る。
【００１９】
側面５２に隣接して、リッパーチップ１８は、ロックキャビティ５８、スロット６０、ロック開口部６３、および膨張部６４と実質的に同じであるロックキャビティ７２、スロット７４、ロック開口部７５、および膨張部７６を有し得る。本開示における、側面５０に隣接する、ロックキャビティ５８、スロット６０、ロック開口部６３、および膨張部６４に関する考察は、リッパーチップ１８の側面５２に隣接する同じ要素に等しく当てはまる。
【００２０】
膨張部６４、７６に加えて、リッパーチップ１８は、その外面に他の様々な特徴を含み得る。例えば、後端部４６に隣接して、上面４８は上に突き出る隆起部７８を含み得る。隆起部７８は上面４８を長手方向に延び得る。隆起部７８は横方向において実質的にリッパーチップ１８の中央に位置付けられ得る。隆起部７８は隆起部上部８０と隆起部側部８２、８４とを含み得る。隆起部７８の前端部８６から、隆起部上部と隆起部側部８２、８４は、リッパーチップ１８の後端部に向かって延び得る。隆起部７８の前端部８６および後端部８８は、リッパーチップ１８に沿って様々な地点に位置付けられ得る。図に示されるように、いくつかの実施形態では、隆起部７８の前端部８６は、リッパーチップ１８の後ろ半分内に配置され得、隆起部７８の後端部８８は、リッパーチップ１８の後端部４６の後端面と一致し得る。
【００２１】
隆起部７８は、側面および上面の両方からくさび形状を有し得る。後方へ延びるにつれて、隆起部７８は上方へ傾斜し得る。図４に示されるように、リッパーチップ１８の後端面は、取付け用キャビティ５６と隆起部上部８０の間に最大厚さ（ｔ）（すなわち、リッパーチップ１８の後端面における取付け用キャビティ５６から側面または下面５０、５２、５４までの厚さより大きい厚さ）を有する。隆起部側部８２、８４は、隆起部上部８０から外方へ延びるにつれ、互いに離れるように傾斜し得る。さらに、隆起部側部８２、８４は、後方へ延びるにつれ、互いに離れるように傾斜し得る。隆起部上部８０および隆起部側部８２、８４は、様々な形状を有し得る。図に示されるように、いくつかの実施形態では、隆起部上部８０および隆起部側部８２、８４は、実質的に平面形状を有し得る。あるいは、隆起部上部８０および／または隆起部側部８２、８４は、１つまたは複数の凹部および／または凸部を含み得る。
【００２２】
隆起部側部８２、８４の基部に隣接して、リッパーチップ１８の上面４８は、肩部９０、９２を含み得る。肩部９０、９２は様々な形状を有し得る。いくつかの実施形態では、肩部９０、９２は、実質的に平面であり得る。あるいは、肩部９０、９２は、１つまたは複数の凸部および／または凹部を含み得る。肩部９０、９２は、リッパーチップ１８の後端部４６まで隆起部７８の全長にわたって延び得る。あるいは、肩部９０、９２は、隆起部７８の長さの一部だけにわたって延び得る。
【００２３】
リッパーチップ１８はまた、隆起部７８とリッパーチップ１８の前端部４４との間に配置された隆起部９４も含み得る。隆起部７８と同様、隆起部９４は長手方向に延び得、かつリッパーチップ１８に実質的に横方向の中心に位置付けられ得る。上面４８から上方へ突き出るのではなく、隆起部９４は上面４８の窪み部分９６、９８が側面に位置付けられ得る。いくつかの実施形態では、隆起部９４の上面は、隆起部９４の前方および後方において上面４８の一部と実質的に面一であり得る。実際に、いくつかの実施形態では、隆起部９４の上面は、隆起部７８の側面に位置する肩部９０、９２と実質的に同一平面であり得る。
【００２４】
リッパーチップ１８はまた、上面４８に取り付けられた貫通穴９９を有し得る。貫通穴９９により、リフト装置をリッパーチップ１８に取り付けてリッパーチップ１８の操作を容易にすることが可能になる。貫通穴９９は隆起部７８と隆起部９４の間に取り付けられ得る。
【００２５】
図１に示されるように、リッパーシャンク保護装置２０は、リッパーチップ１８の後方および上でリッパーシャンク１６に取り付けられるように構成することができる。図６〜１１はリッパーシャンク保護装置２０を様々な角度から示している。リッパーシャンク保護装置２０は、前端部１０２および後端部１０４を有する本体１００を有し得る。本体１００は、側部１０６、１０８と、側部１０６、１０８の間に延びる中央面１１０とを有し得る。図７、８、１０および１１に最もよく示されるように、取付け用キャビティ１１２を、中央面１１０の下側に隣接して側部１０６、１０８の間に配置することができる。取付け用キャビティ１１２は、リッパーシャンク１６の前縁部３０を受け入れ、それと嵌合するように構成することができる。リッパーシャンク保護装置２０は、鋼および鋳鉄を含むがそれらに限定されない様々な材料から作製することができる。
【００２６】
リッパーシャンク保護装置２０は、それをリッパーシャンク１６に固定するための様々な対策を含み得る。いくつかの実施形態では、リッパーシャンク保護装置は、側部１０６に取付部１１４と１１６、および側部１０８に取付部１１８と１２０を含み得る。取付部１１４は、リッパーシャンク１６の穴３４から延びる突起４０の一端を受け入れるように構成された開放端スロット１２２を含み得る。スロット１２２は、リッパーシャンク保護装置２０の中央面１１０から外方へ全体的に延び得る。スロット１２２の縁部は、外方へ延びるにつれ、先細になり互いに離れ得る。スロット１２２の内側端部は実質的に丸い形状を有し得る。例えば、スロット１２２の内側端部は、スロット１２２が係合する突起４０の一部の曲率半径と実質的に同じ一定の曲率半径を有し得る。取付部１１８は、スロット１２２が係合する方と反対側の突起４０の端部と係合するように構成されたスロット１２４を有し得る。スロット１２４はスロット１２２と整列され、かつスロット１２２と実質的に同じ形状を有し得る。
【００２７】
図１３を参照することによって最もよく理解されるように、スロット１２２、１２４によって、取付部１１４、１１８をリッパーシャンク１６の両側から延びる突起４０と係合するように摺動することが可能になる。そうするために、リッパーシャンク保護装置２０を、リッパーシャンク１６の上に持ち上げ、スロット１２２が概ね突起４０の反対端部の上に配置される位置へ操作することができる。その後、スロット１２２、１２４の開放端部を突起４０の端部の上に案内しながら、リッパーシャンク保護装置２０を下ろすことができる。スロット１２２、１２４の外側端部の外方に向けて先細になる面は、スロット１２２、１２４を突起４０と整列するように案内するのに役立ち得る。一度スロット１２２、１２４が突起４０と整列されると、リッパーシャンク保護装置２０を、突起４０がスロット１２２、１２４の内側端部に位置するまで、下ろすことができる。この状態で、各スロット１２２、１２４の内側端部の実質的に丸い面は、突起４０の対応する丸い面に乗り得る。これによりリッパーシャンク１６の前縁部３０と適切に係合するように突起４０の周りでリッパーシャンク保護装置２０を回動することが可能になる。このような回動は図１３に示されている。
【００２８】
取付部１１６および１２０は、リッパーシャンク保護装置２０がこの方法で突起４０上を回動するときに突起３８と係合する特徴部を含み得る。例えば、図８に最もよく示されるように、取付部１１６は側部１０６の内側にスロット１２６を含み得る。スロット１２６は、突起３８が突起４０から離間されるのと実質的に同じ距離だけ取付部１１４から離間され得る。従って、リッパーシャンク保護装置２０が突起４０の周りを適所に回動されるとき、スロット１２６は突起３８と実質的に整列する。従って、図１３の点線で示されるように、スロット１２６は、取付部１１６の一部を受け止める突起と取付部１１４との間に延びる線に対して実質的に垂直に延びる。従って、スロット１２６は、リッパーシャンク保護装置２０が適所に回動される間、突起４０の上を摺動する。
【００２９】
図７に最もよく示されるように、シャンク保護装置２０の取付部１２０は、スロット１２６によって受け入れられる端部と反対の突起３８の端部を受け入れるためのスロット１２８を含み得る。スロット１２６と同様、スロット１２８は、突起３８が突起４０から離間されるのと実質的に同じ距離だけ取付部１１８から離間され得る。従って、スロット１２８はスロット１２６と同じ方向に、すなわち取付部１２０の一部を受け止める突起と取付部１１８との間に延びる線に対して実質的に垂直に延びる。従って、リッパーシャンク保護装置２０が突起４０の周りで回動されるとき、スロット１２８は突起３８の上を適所に摺動する。スロット１２８の内側端部は、突起３８に乗る丸い面を含み得る。
【００３０】
図８に戻ると、取付部１１６はスロット１２６の内側端部にロックキャビティ１３０を含み得る。ロックキャビティ１３０は、突起３８に選択的にロックするように構成された（図１４Ａ〜１４Ｃに詳細に示される）回転式ロック組立体６２を受け入れるように構成され得る。ロック開口部１３４がリッパーシャンク保護装置２０の側部１０６を貫いて延び、ロック組立体６２がそれをロックおよびロック解除することを可能にし得る。ロックキャビティ１３０およびロック組立体は、リッパーチップ１８のロックキャビティ５８およびロック組立体６２と実質的に同じ構造を有し得、その結果、ロック組立体６２を、シャンク保護装置２０とリッパーチップ１８との間で相互に交換可能に使用することができる。
【００３１】
ロックキャビティ１３０およびロック組立体６２を収容するために、側部１０６の外面は膨張部１３６を含み得る。膨張部１３６は延ばすことができる。膨張部１３６が延ばされる方向は、スロット１２６が延びる方向と異なり得る。これは図７を参照することによって、およびスロット１２６がスロット１２８と同じ方向に延びることを念頭に置くことによって、最もよく観察される。従って、膨張部１３６が延ばされる方向とスロット１２８が延びる方向を比較すると、スロット１２６が延びる方向とかなり異なる方向に膨張部１３６が延ばされることが分かる。スロット１２６はリッパーシャンク保護装置２０の中央面１１０に向かって概ね延びるが、膨張部１３６は概ねリッパーシャンク保護装置２０の前端部１０２に向かう方向に延ばされる。さらに、膨張部１３６は、リッパーシャンク保護装置２０の前端部１０２に向かって延びるとき、内側に向かって先細になり得る。
【００３２】
図１、５、６、９、および１０に最もよく示されるように、リッパーシャンク保護装置２０は、中央面１１０から上方へ突き出る隆起部１３８を含み得る。隆起部１３８は中央面１１０に沿って長手方向に延び得る。いくつかの実施形態では、隆起部１３８は中央面１１０の全長にわたって延び得る。あるいは、隆起部１３８は中央面１１０の長さの一部だけにわたって延び得る。図１、５、９、および１０に最もよく示されるように、隆起部１３８は上部１４０と側部１４２、１４４とを有し得る。隆起部１３８は様々な横方向断面形状を有し得る。図１０に最もよく示されるように、いくつかの実施形態では、隆起部１３８の側部１４２、１４４は、上部１４０から外方へ延びるにつれ、互いに離れるように傾斜し得る。
【００３３】
隆起部１３８は様々な方法で横方向に位置付けることができる。いくつかの実施形態では、隆起部１３８は、リッパーチップ１８の隆起部７８と横方向に整列させることができる。例えば、図５に最もよく示されるように、いくつかの実施形態では、隆起部７８と１３８はともに、横方向において中心に配置することができる。
【００３４】
隆起部１３８は様々な長手方向プロファイルを有し得る。図１、６、および１３に最もよく示されるように、隆起部１３８の（リッパーシャンク１６と嵌合する中央面１１０の表面からの）高さまたは厚さは、隆起部１３８の長さにわたって変わり得る。いくつかの実施形態では、隆起部１３８の前部は、リッパーシャンク保護装置２０の前端部１０２の最大高さまで上方へ傾斜し得る。隆起部１３８の高さは、シャンク保護装置２０の後端部１０４へ延びるにつれ、高さが徐々に減少し得る。図１に最もよく示されるように、隆起部１３８の前部は、リッパーチップ１８の隆起部７８の高さを越える高さまで上昇し得る。隆起部１３８の前部はまた、リッパーシャンク保護装置２０の前端部１０２から離れて延びるにつれて湾曲する凸状プロファイル１４６を有する部分を含み得る。さらに後ろに、隆起部１３８は、凹状プロファイルを有する部分を含み得、凹状プロファイルは、リッパーシャンク保護装置２０の前端部１０２から離れて延びるにつれて概ね真直ぐな部分と融合する。
【００３５】
リッパーチップ１８と同様、リッパーシャンク保護装置２０は、貫通穴１５０を含み得る。貫通穴１５０は隆起部１３８に取り付けることができる。貫通穴１５０は、リッパーシャンク保護装置２０を操作するためにそれを巻上機から吊るすことを容易にし得る。
【００３６】
図１４Ａ〜１４Ｃを参照すると、回転式ロック組立体６２は、リッパーチップ１８およびシャンク保護装置２０それぞれの各ロックキャビティ５８、７２および１３０用のスリーブ１６０およびロック部分１６２を含み得る。各スリーブ１６０は、平滑な切頭円錐型内面および外面１６６を有するＣ型スカート部１６４を含む。各スリーブ１６０はまた、互いに１８０度離間した内側に延びる２つの戻り止め突起１６８を含む。各ロック部分１６２は、頭部１７２に接続されたＣ型スカート部１７０を含む。ロック部分１６２のスカート部１７０は、開放端部１７６と閉鎖端部１７８を備えたロックスロット１７４を画定する。ロック部分１６２のスカート部１７０の外面１８０は、平滑な切頭円錐面と、互いに１８０度離間した２つの戻り止め凹部１８２とを含む。
【００３７】
各スリーブ１６０およびロック部分１６２は、リッパーチップ１８および／またはシャンク保護装置２０に組み付けられるとき、ロックキャビティ５８、７２、１３０の１つの中に位置する。ロック解除位置において、ロックスカート部１７０の切頭円錐型外面１８０は、スリーブ１６０の切頭円錐型内面１６６の中に位置する。さらに、スリーブ１６０の戻り止め突起１６８は、ロック部分１６２の戻り止め凹部１８２の中に位置し、それによりロック部分１６２の意図しない回転に抵抗する。ロック組立体６２のロック解除位置は、ロックスロット１７４の開放端部１７６を、リッパーチップ１８またはシャンク保護装置２０（図３および８）の側部スロット６０、７４、または１２６に隣接して配置する。スリーブ１６０およびロック部分１６２はロック解除位置にあるので、リッパーチップ１８およびシャンク保護装置２０は、リッパーシャンク１６の対応する突起４２、３８で受け止めることができる。リッパーチップ１８およびシャンク保護装置２０がリッパーシャンク１６に受け止められるとき、突起４２、３８はリッパーチップ１８またはシャンク保護装置２０のスロット６０、７４および１２６内を摺動し、およびロック部分１６２のロックスロット１７４に滑り込む。
【００３８】
一度突起４２および３８がリッパーチップ１８およびシャンク保護装置２０のロック組立体６２のロックスロット１７４に配置されると、ロック部分１６２を突起４２、３８の周りで回転することができる。ロック部分１６２がロック解除位置から離れるとき、ロック部分１６２の凹部戻り止め１８２は、スリーブ１６０の突起戻り止め１６８から切り離される。ロック部分が回転するとき、ロック部分１６２の外側切頭円錐面１８０はスリーブ１６０の内側切頭円錐面１６６に沿って摺動する。ロック部分１６２が１８０度回転すると、ロック位置に到達し、ロック部分１６２の凹部戻り止め１８２はスリーブ１６０の突起戻り止め１６８と再び係合し、ロック部分１６２をロック位置に保持する。ロック位置では、各ロック部分１６２の閉鎖端部１７８が関連する突起４２、３８の背後に位置し、スロット６０、７４、１２６に隣接するロックキャビティ５８、７２、１３０の側面を遮蔽する。突起４２、３８がロックキャビティ５８、７２、１３０内に延び、かつロック部分１６２がロックキャビティ５８、７２、１３０を遮蔽する状態で、突起４２、３８はリッパーチップ１８およびシャンク保護装置２０をリッパーシャンク１６に保持する。
【産業上の利用可能性】
【００３９】
本開示のリッパーシャンク組立体は、硬い物質に貫入させてそれを破砕し、除去を支援するために、任意の地面係合型機械とともに使用することができる。
【００４０】
本開示によれば、リッパーチップ１８の上側の突出隆起部７８は、摩耗位置に追加物質を提供し、かつ物質をリッパーシャンク組立体１０から離すのに役立つ。ロック組立体６２をリッパーチップ１８に組み込むことにより、リッパーチップ１８のリッパーシャンク１６への簡単かつ確実な取付けが実現される。シャンク保護装置２０もまた、リッパーシャンク１６への簡単かつ確実な取付けを実現する。特に、シャンク保護装置２０を取り付けるための、回動ロック動作（図１３）の使用により、シャンク保護装置をロック位置へ移動する間、シャンク保護装置２０の重量をリッパーシャンク１６で実質的に支えることが可能になる。さらに、シャンク保護装置２０の隆起部１３８の厚さの分散（その結果、より大きな厚みがシャンク保護装置２０の前端部１０２近くにもたらされる）は、シャンク保護装置が増大する摩耗を受ける箇所に隆起部１３８のより厚い部分を配置することによって、シャンク保護装置２０の寿命を延ばす働きをする。最後に、リッパーチップ１８の突出隆起部７８とシャンク保護装置２０の隆起部１３８との組み合わせは、物質をシャンク組立体１０から、特にリッパーチップ１８とシャンク保護装置２０の間に設けられる間隙から離す働きをする。また、リッパーシャンク１６に対するリッパーチップ１８の、およびリッパーシャンク１６に対するシャンク保護装置２０の単独の固定により、取付取り外しが容易になる。
【００４１】
開示されるシステムおよび方法の他の実施形態は、本明細書に開示されるシステムおよび方法の明細および実施を考察することにより当業者に明らかになる。明細および例は単なる例示として考慮され、本開示の真の範囲は以下の請求項およびそれらの均等物によって示されることを目的とする。
【符号の説明】
【００４２】
１０  リッパーシャンク組立体
１２  基端
１４  前端部
１６  リッパーシャンク
１８  リッパーチップ
２０  リッパーシャンク保護装置
２２  前端部
２４  直線状上側部分
２６  中間部分
２８  前方部分
３０  前縁部
３２  穴
３４  穴
３６  穴
３８  突起
４０  突起
４２  突起
４４  前端部
４６  後端部
４８  上面
５０  側面
５２  側面
５４  下面
５６  取付け用キャビティ
５８  ロックキャビティ
６０  スロット
６２  回転式ロック組立体
６３  ロック開口部
６４  膨張部
６６  側面
６８  上面
７０  下面
７２  ロックキャビティ
７４  スロット
７５  ロック開口部
７６  膨張部
７８  隆起部
８０  隆起部上部
８２  隆起部側部
８４  隆起部側部
８６  前端部
８８  後端部
９０  肩部
９２  肩部
９４  隆起部
９６  窪み部分
９８  窪み部分
９９  貫通穴
１００  本体
１０２  前端部
１０４  後端部
１０６  側部
１０８  側部
１１０  中央面
１１２  取付け用キャビティ
１１４  取付部
１１６  取付部
１１８  取付部
１２０  取付部
１２２  開放端スロット
１２４  スロット
１２６  スロット
１２８  スロット
１３０  ロックキャビティ
１３４  ロック開口部
１３６  膨張部
１３８  隆起部
１４０  隆起部上部
１４２  隆起部側部
１４４  隆起部側部
１４６  凸状プロファイル
１５０  貫通穴
１６０  スリーブ
１６２  ロック部分
１６４  Ｃ型スカート部
１６６  切頭円錐面
１６８  戻り止め突起
１７０  Ｃ型スカート部
１７２  頭部
１７４  ロックスロット
１７６  開放端部
１７８  閉鎖端部
１８０  外面
１８２  戻り止め凹部
【図１】
2014529026.tif 000003
【図２】
2014529026.tif 000004
【図３】
2014529026.tif 000005
【図４】
2014529026.tif 000006
【図５】
2014529026.tif 000007
【図６】
2014529026.tif 000008
【図７】
2014529026.tif 000009
【図８】
2014529026.tif 000010
【図９】
2014529026.tif 000011
【図１０】
2014529026.tif 000012
【図１１】
2014529026.tif 000013
【図１２】
2014529026.tif 000014
【図１３】
2014529026.tif 000015
【図１４】
2014529026.tif 000016
【国際調査報告】
2014529026.tif 000017
2014529026.tif 000018
2014529026.tif 000019
2014529026.tif 000020